(57)【要約】【課題】出力信号の歪みを悪化させることなく所望の利得を得ること。【解決手段】高周波信号を増幅する第１増幅装置（増幅装置１００）および第２増幅装置（増幅装置２００）と、第１増幅装置および第２増幅装置のいずれか一方を選択して、増幅された高周波信号を出力する選択装置３００とを有する冗長化増幅システム１０において、第１増幅装置および第２増幅装置の少なくとも一方は、直流電圧を選択装置に供給する供給手段（スイッチ１１２，２１２）と、選択装置に対する直流電圧の供給の有無を制御する制御手段（制御部１１０，２１０）と、を有し、選択装置は、直流電圧の供給の有無に応じて、第１増幅装置および第２増幅装置の一方を選択して高周波信号を出力する出力手段（スイッチモジュール３１０）を有する。【選択図】図１
2016092703.tif 000002
【特許請求の範囲】
【請求項１】
高周波信号を増幅する第１増幅装置および第２増幅装置と、前記第１増幅装置および前記第２増幅装置のいずれか一方を選択して、増幅された前記高周波信号を出力する選択装置とを有する冗長化増幅システムにおいて、
前記第１増幅装置および前記第２増幅装置の少なくとも一方は、
直流電圧を前記選択装置に供給する供給手段と、
前記選択装置に対する前記直流電圧の供給の有無を制御する制御手段と、を有し、
前記選択装置は、
前記直流電圧の供給の有無に応じて、前記第１増幅装置および第２増幅装置の一方を選択して前記高周波信号を出力する出力手段を有する、
ことを特徴とする冗長化増幅システム。
【請求項２】
前記第１増幅装置および前記第２増幅装置の双方が前記供給手段を有し、
前記第１増幅装置および前記第２増幅装置のいずれか一方は、前記直流電圧を前記高周波信号に重畳して出力し、
前記出力手段は、前記直流電圧が重畳されている一方の増幅装置を選択して前記高周波信号を出力する、
ことを特徴とする請求項１に記載の冗長化増幅システム。
【請求項３】
前記第１増幅装置および前記第２増幅装置のいずれか一方のみが前記供給手段を有し、
前記供給手段は、前記直流電圧を前記高周波信号に重畳して出力し、
前記選択装置の前記出力手段は、前記直流電圧が供給されない場合には前記供給手段を有しない増幅装置を選択し、前記直流電圧が供給される場合には前記供給手段を有する増幅装置を選択して前記高周波信号を出力する、
ことを特徴とする請求項１に記載の冗長化増幅システム。
【請求項４】
前記選択装置は、前記第１増幅装置または前記第２増幅装置から供給される前記直流電圧を電源電圧として動作することを特徴とする請求項１乃至３のいずれか１項に記載の冗長化増幅システム。
【請求項５】
前記第１増幅装置および前記第２増幅装置は、直方体形状を有する２つの筐体にそれぞれ収容されるとともに、これら２つの筐体は所定の側面が平行に対向するように並べて配置され、
前記選択装置は、直方体形状を有する筐体に収容されるとともに、前記第１増幅装置および前記第２増幅装置が収容された前記２つの筐体の所定の面に対して架橋するように配置される、
ことを特徴とする請求項１乃至４のいずれか１項に記載の冗長化増幅システム。
【発明の詳細な説明】
【技術分野】
【０００１】
本発明は、冗長化増幅システムに関するものである。
【背景技術】
【０００２】
例えば、ＣＡＴＶ（Cable Television）等の放送局に配置され、音声、映像、および、データ等をユーザー側に送出するヘッドエンドでは、故障時でも放送信号の送出が停止しないようにするために、機器を冗長化して構成する場合が多い。
【０００３】
例えば、特許文献１には、チャンネルの放送データを抽出してＣＡＴＶ用放送信号に変換して出力する複数の選局変換装置と、選局変換装置の何れかが異常の場合にそれに代えて動作させる故障時バックアップ用の予備装置（予備の選局変換装置）とを備える技術が開示されている。
【先行技術文献】
【特許文献】
【０００４】
【特許文献１】特開２００１−３５９０６３号公報
【発明の概要】
【発明が解決しようとする課題】
【０００５】
ところで、特許文献１に開示された技術では、選局変換装置の出力信号は、混合出力回路によって混合された後に出力される。このような混合出力回路は、信号の周波数が高くなると損失が増加する。このため、必要な信号レベルを得るためには、混合出力回路の損失分に相当する分だけ、選局変換装置の利得を高く設定する必要があることから、例えば、選局変換装置の利得が高い分、高周波信号の歪みが悪化するという問題点がある。
【０００６】
本発明は、以上の点に鑑みてなされたものであり、出力信号の歪みを悪化させることなく所望の利得を得ることが可能な冗長化増幅システムを提供することを目的とする。
【課題を解決するための手段】
【０００７】
上記課題を解決するために、本発明は、高周波信号を増幅する第１増幅装置および第２増幅装置と、前記第１増幅装置および前記第２増幅装置のいずれか一方を選択して、増幅された前記高周波信号を出力する選択装置とを有する冗長化増幅システムにおいて、前記第１増幅装置および前記第２増幅装置の少なくとも一方は、直流電圧を前記選択装置に供給する供給手段と、前記選択装置に対する前記直流電圧の供給の有無を制御する制御手段と、を有し、前記選択装置は、前記直流電圧の供給の有無に応じて、前記第１増幅装置および第２増幅装置の一方を選択して前記高周波信号を出力する出力手段を有することを特徴とする。
このような構成によれば、出力信号の歪みを悪化させることなく所望の利得を得ることが可能となる。
【０００８】
また、本発明は、前記第１増幅装置および前記第２増幅装置の双方が前記供給手段を有し、前記第１増幅装置および前記第２増幅装置のいずれか一方は、前記直流電圧を前記高周波信号に重畳して出力し、前記出力手段は、前記直流電圧が重畳されている一方の増幅装置を選択して前記高周波信号を出力することを特徴とする。
このような構成によれば、現用系と予備系で同じ構成の増幅装置を用いることができることから、製造コストを低減することができる。
【０００９】
また、本発明は、前記第１増幅装置および前記第２増幅装置のいずれか一方のみが前記供給手段を有し、前記供給手段は、前記直流電圧を前記高周波信号に重畳して出力し、前記選択装置の前記出力手段は、前記直流電圧が供給されない場合には前記供給手段を有しない増幅装置を選択し、前記直流電圧が供給される場合には前記供給手段を有する増幅装置を選択して前記高周波信号を出力することを特徴とする。
このような構成によれば、一方の増幅装置のみが供給手段を有するように構成することで、構成を簡易化することができる。
【００１０】
また、本発明は、前記選択装置は、前記第１増幅装置または前記第２増幅装置から供給される前記直流電圧を電源電圧として動作することを特徴とする。
このような構成によれば、選択装置が電源部を有する必要がなくなるので、装置の構成を簡略化することができる。
【００１１】
また、本発明は、前記第１増幅装置および前記第２増幅装置は、直方体形状を有する２つの筐体にそれぞれ収容されるとともに、これら２つの筐体は所定の側面が平行に対向するように並べて配置され、前記選択装置は、直方体形状を有する筐体に収容されるとともに、前記第１増幅装置および前記第２増幅装置が収容された前記２つの筐体の所定の面に対して架橋するように配置される、ことを特徴とする。
このような構成によれば、架橋するように配置することで、装置の配置するために必要なスペースを小さくすることができる。
【発明の効果】
【００１２】
本発明によれば、出力信号の歪みを悪化させることなく所望の利得を得ることが可能な冗長化増幅システムを提供することができる。
【図面の簡単な説明】
【００１３】
【図１】本発明の第１実施形態の構成例を示す図である。
【図２】本発明の第２実施形態の構成例を示す図である。
【図３】図１または図２に示す実施形態を収容する筐体を示す図である。
【図４】図１または図２に示す実施形態を収容する筐体を示す図である。
【発明を実施するための形態】
【００１４】
（Ａ）本発明の第１実施形態の構成の説明
図１は、本発明の第１実施形態の構成例を示す図である。この図１に示すように、本発明の第１実施形態に係る冗長化増幅システム１０は、増幅装置１００，２００および選択装置３００を有している。ここで、増幅装置１００および増幅装置２００は、入力端子１０１，２０１から入力される高周波信号をそれぞれ増幅して出力端子１０７，２０７から出力する。選択装置３００は増幅装置１００および増幅装置２００と接続され、これらのいずれか一方から出力される高周波信号を選択して出力端子３１４から出力する。なお、入力される高周波信号としては、ＣＡＴＶ放送システムにおいては周波数が数ＭＨｚ以上の放送信号等が挙げられる。
【００１５】
つぎに、増幅装置１００の詳細な構成について説明する。増幅装置１００は、入力端子１０１、分岐部１０２、増幅部１０３、分岐部１０４、スイッチ１０５、コンデンサ１０６、出力端子１０７、検出部１０８，１０９、制御部１１０、コイル１１１、スイッチ１１２、および、直流電源１１３を有している。ここで、入力端子１０１は、図示しない分配装置によって分配された高周波信号を入力する。分岐部１０２は、入力端子１０１から入力された高周波信号を分岐し、増幅部１０３と検出部１０８に供給する。増幅部１０３は、分岐部１０２から供給される高周波信号を所定の利得で増幅して出力する。分岐部１０４は、増幅部１０３から出力された高周波信号を分岐し、スイッチ１０５と検出部１０９に供給する。スイッチ１０５は、制御部１１０によって制御される。増幅装置１００が現用系として選択された場合には、スイッチ１０５を閉じ分岐部１０４とコンデンサ１０６を電気的に接続した状態（オンの状態）とされ、予備系として選択された場合には、スイッチ１０５を開き分岐部１０４とコンデンサ１０６を電気的に接続しない状態（オフの状態）とされる。コンデンサ１０６は、バイパスコンデンサであり、スイッチ１０５から出力される高周波信号を出力端子１０７に供給するとともに、スイッチ１１２から出力される直流電圧がスイッチ１０５側に流入することを防止する。出力端子１０７は、コンデンサ１０６から供給される高周波信号と、コイル１１１から供給される直流電圧を出力し、入力端子３０１に供給する。
【００１６】
検出部１０８は、分岐部１０２から供給される高周波信号の状態を検出して制御部１１０に通知する。より詳細には、検出部１０８は、高周波信号の信号レベル等を検出し、制御部１１０に通知する。検出部１０９も同様に、分岐部１０２から供給される高周波信号の高周波信号の信号レベル等を検出し、制御部１１０に通知する。制御部１１０は、検出部１０８，１０９によって検出された高周波信号から、増幅器１０３で得られる利得を検出し、該高周波信号の状態または利得の状態に応じてスイッチ１０５，１１２の状態を制御するとともに、増幅装置２００の制御部２１０との間で情報を授受する。コイル１１１は、チョークコイルであり、高周波信号がスイッチ１１２側に流入することを防止する。スイッチ１１２は、制御部１１０によって制御され、オンの状態にされた場合には、直流電源１１３と出力端子１０７とを電気的に接続し、直流電源１１３から出力される直流電圧を、コイル１１１を介して出力端子１０７に供給する。直流電源１１３は、例えば、３〜５Ｖ程度の直流電圧を発生して出力する。
【００１７】
なお、増幅装置２００は、増幅装置１００と同様の構成を有しているのでその説明は省略する。
【００１８】
選択装置３００は、入力端子３０１，３０２、コイル３０３，３０４、ダイオード３０５，３０６、コンデンサ３０７，３０８、分圧部３０９、スイッチ３１１を有するスイッチモジュール３１０、コンデンサ３１２、コイル３１３、および、出力端子３１４を有している。
【００１９】
ここで、入力端子３０１は、増幅装置１００の出力端子１０７から出力される信号を入力する端子である。入力端子３０２は、増幅装置２００の出力端子２０７から出力される信号を入力する端子である。なお、出力端子１０７，２０７と入力端子３０１，３０２は、直接接続されるか、または、信号線等を介して接続される。コイル３０３は、チョークコイルであり、高周波信号がダイオード３０５および分圧部３０９側に流入することを防止する。コイル３０４も同様に、チョークコイルであり、高周波信号がダイオード３０６側に流入することを防止する。ダイオード３０５およびダイオード３０６はダイオード・オア回路を構成し、入力端子３０１および入力端子３０２のいずれか一方から供給される直流電圧を電源電圧としてスイッチモジュール３１０の電源端子（Ｖｃｃ）に供給する。
【００２０】
コンデンサ３０７は、バイパスコンデンサであり、入力端子３０１から入力される高周波信号を通過させてスイッチモジュール３１０に供給するとともに、直流電圧がスイッチモジュール３１０側に流入することを防止する。コンデンサ３０８も同様に、バイパスコンデンサであり、入力端子３０２から入力される高周波信号を通過させてスイッチモジュール３１０に供給するとともに、直流電圧がスイッチモジュール３１０側に流入することを防止する。分圧部３０９は、ダイオード３０５のアノードに印加される電圧を所定の分圧比で分圧してスイッチモジュール３１０のスイッチ３１１に制御信号として供給する。
【００２１】
スイッチモジュール３１０は、例えば、スイッチ３１１および図示しない駆動回路等によって構成され、分圧部３０９から供給される制御信号に応じてスイッチ３１１の接続状態を変更する。スイッチ３１１は、例えば、半導体スイッチまたは電磁スイッチによって構成され、分圧部３０９から供給される制御信号（直流電圧）に応じて接続状態が変化する。コンデンサ３１２およびコイル３１３は、ハイパスフィルタを構成し、高周波信号のみを通過させ、高周波信号よりも周波数が低い帯域の信号は減衰させて出力する。出力端子３１４は、コンデンサ３１２から出力される高周波信号を、後段の装置に供給する。
【００２２】
（Ｂ）本発明の第１実施形態の動作の説明
つぎに、第１実施形態の動作について説明する。以下では、増幅装置１００が現用系に設定され、増幅装置２００が予備系に設定された場合を例に挙げて説明する。
【００２３】
例えば、制御部１１０に接続される入力スイッチ（不図示）に対して増幅装置１００を現用系に設定する操作がなされ、制御部２１０に接続される入力スイッチ（不図示）に対して増幅装置２００を予備系に設定する操作がなされたとする。このような場合には、制御部１１０は、スイッチ１０５とスイッチ１１２を共にオンの状態にし、制御部２１０は、スイッチ２０５とスイッチ２１２を共にオフの状態にする。スイッチ２０５とスイッチ２１２が共にオフの状態にされると、増幅装置２００の出力端子２０７からは信号が出力されない状態となる。
【００２４】
増幅装置１００では、入力端子１０１から入力された高周波信号は、分岐部１０２によって分岐され、増幅部１０３と検出部１０８に供給される。検出部１０８は、高周波信号の信号レベル、変調誤差比、および、ビット誤り率等を検出し、制御部１１０に通知する。制御部１１０は、検出部１０８から通知される情報に基づいて、入力される高周波信号の状態を判定し、増幅部１０３の増幅前の高周波信号が正常か否かを判定する。分岐部１０２から出力された高周波信号は増幅部１０３において所定の利得で増幅される。増幅部１０３から出力された高周波信号は、分岐部１０４によって分岐され、スイッチ１０５と検出部１０９に供給される。検出部１０９は、高周波信号の信号レベル等を検出し、制御部１１０に通知する。制御部１１０は、検出部１０９から通知される情報に基づいて、増幅部１０３による増幅後の高周波信号が正常か否かを判定する。
【００２５】
スイッチ１０５は、増幅装置１００が現用系として設定されている場合にはオンの状態とされるので、分岐部１０４から出力された高周波信号は、コンデンサ１０６に供給される。コンデンサ１０６は、スイッチ１０５から供給される高周波信号を通過させて出力する。スイッチ１１２は、増幅装置１００が現用系として設定されている場合にはオンの状態とされるので、直流電源１１３が出力する３〜５Ｖ程度の直流電圧がスイッチ１１２から出力され、コイル１１１に供給される。コイル１１１は、スイッチ１１２から供給される直流電圧を通過させて出力する。この結果、コンデンサ１０６から出力される高周波信号と、コイル１１１から出力される直流電圧とが重畳された信号が出力端子１０７から出力される。
【００２６】
前述したようにスイッチ２０５およびスイッチ２１２はオフの状態に設定されているので、選択装置３００の入力端子３０２には信号が入力されない状態となり、一方、入力端子３０１には高周波信号と直流電圧が重畳された信号が増幅装置１００から入力される状態となる。
【００２７】
コンデンサ３０７は、入力端子３０１から入力された信号のうち、高周波信号を通過させて出力する。この結果、スイッチ３１１の図１の上側の端子には高周波信号が供給される。一方、コイル３０３は、入力端子３０１から入力された信号のうち、直流電圧を通過させて出力する。この結果、分圧部３０９には直流電圧が印加されるので、分圧部３０９からは、入力された直流電圧を分圧した所定の電圧が出力される。なお、コイル３０３から出力された直流電圧は、ダイオード３０５を介してスイッチモジュール３１０の電源端子（Ｖｃｃ）に供給される。スイッチモジュール３１０は、ダイオード３０５を介して電源端子に供給された直流電圧を電源として動作する。このとき、ダイオード３０６は逆バイアス状態となるので、コイル３０４側には直流電圧は供給されない。スイッチモジュール３１０のスイッチ３１１には分圧部３０９から出力される電圧が供給されるので、スイッチ３１１は図１の上側の端子に接続した状態となる。前述したように、スイッチ３１１の上側の端子には、高周波信号が供給されているので、スイッチ３１１からは高周波信号がコンデンサ３１２に対して出力される。コンデンサ３１２およびコイル３１３は、スイッチ３１１から供給される高周波信号を通過させて出力し、高周波信号よりも周波数が低い信号については遮断する。この結果、出力端子３１４からは、増幅装置１００において増幅された高周波信号が出力される。
【００２８】
このような状態において、検出部１０９によって検出される高周波信号の状態が悪化したと判定されたとする。例えば、信号レベルが所定のレベル未満になったとする。すると、制御部１１０は、検出部１０８の出力を参照し、検出部１０８の出力も同様に高周波信号の状態が悪化していることを示している場合（いまの例では、信号レベルが所定のレベル未満になった場合）には、上位の装置において異常が発生していると判定し、後述するような切替え処理は実行しない。一方、検出部１０８の出力が正常である場合（いまの例では、信号レベルが所定のレベル以上の場合）には、増幅部１０３に異常が発生していると判定し、後述する切替え処理を実行する。
【００２９】
切替え処理では、制御部１１０は、制御部２１０に対して現用系から予備系への切替えをする旨を通知するとともに、スイッチ１０５およびスイッチ１１２をオフの状態にする。スイッチ１０５がオフの状態になると、分岐部１０４から出力される高周波信号は出力端子１０７には供給されない状態となる。また、スイッチ１１２がオフの状態になると、直流電源１１３から出力される直流電圧は出力端子１０７には供給されない状態となる。
【００３０】
出力端子１０７から直流電圧が出力されない状態となると、分圧部３０９には電圧が印加されない状態となるので、分圧部３０９からは直流電圧は出力されない状態となる。この結果、スイッチ３１１は、図１の下側の端子に接続された状態となる。
【００３１】
増幅部２００では、制御部１１０から現用系から予備系へ切替える旨の通知を受けた制御部２１０が、スイッチ２０５とスイッチ２１２をオフからオンの状態に変更する。この結果、増幅部２０３によって増幅され、分岐部２０４を通過した高周波信号は、コンデンサ２０６を介して出力端子２０７から出力される。また、直流電源２１３から出力された直流電圧は、コイル２１１を介して出力端子２０７から出力される。これにより、入力端子３０２には、高周波信号と直流電圧が重畳された信号が入力される。コイル３０４は、入力端子３０２から入力された信号から直流電圧を通過させ、ダイオード３０６を介してスイッチモジュール３１０の電源端子（Ｖｃｃ）に電源電圧として供給する。このとき、ダイオード３０５は逆バイアス状態となるので、コイル３０３側には直流電圧は供給されない。また、コンデンサ３０８は、入力端子３０２から入力された信号のうち、高周波信号を通過させてスイッチ３１１に供給する。スイッチ３１１は、前述したように、図１の下側の端子に接続された状態であるため、コンデンサ３０８を介して供給される高周波信号は、スイッチ３１１を介してコンデンサ３１２に供給される。コンデンサ３１２とコイル３１３は、ハイパスフィルタを構成していることから、コンデンサ３１２に供給された高周波信号は通過され、出力端子３１４を介して、後段の装置に供給される。
【００３２】
以上に説明したように、本発明の第１実施形態では、増幅装置は高周波信号に対して直流電圧を重畳して出力し、選択装置３００では、直流電圧の有無に応じてスイッチ３１１を切替えることで、現用系から予備系へ切替えるようにした。このため、分岐部に比較して挿入損失が殆どないスイッチ３１１によって切替えを行うことから、増幅部１０３の利得を増加させる必要がないため、出力信号の歪みを悪化させることなく所望の利得を得ることが可能となる。また、簡易な構成によって、現用系から予備系へ確実に切替えることができる。さらに、増幅装置から供給される直流電圧を、選択装置３００において電源電力として使用するようにしたので、選択装置３００側に電源部を設ける必要がなくなることから、装置の構成を簡略化することができる。
【００３３】
（Ｃ）本発明の第２実施形態の構成の説明
つぎに、本発明の第２実施形態について説明する。図２は、本発明の第２実施形態の構成例を示す図である。なお、図２において、図１と対応する部分には同一の符号を付してその説明を省略する。図２では、図１を比較すると、増幅装置１００が増幅装置１００Ａに置換され、選択装置３００が選択装置３００Ａに置換されている。これら以外の構成は、図１と同様である。
【００３４】
ここで、増幅装置１００Ａは、増幅装置１００と比較すると、コンデンサ１０６、コイル１１１、スイッチ１１２、および、直流電源１１３が除外されている。また、選択装置３００Ａでは、選択装置３００に比較すると、コイル３０３、ダイオード３０５，３０６、コンデンサ３０７が除外され、スイッチモジュール３１０がスイッチモジュール３１０Ａに置換され、分圧部３０９がダイオード３０５のアノード側から、スイッチモジュール３１０Ａの電源端子側に接続先が変更されている。スイッチモジュール３１０Ａは、電源端子（Ｖｃｃ）に電源電圧が供給されていない場合には、スイッチ３１１は図２の上側の端子を選択した状態となり、一方、電源電圧が供給されるとともに、分圧部３０９から制御信号が供給された場合には図２の下側の端子を選択する。なお、これら以外の構成は図１の場合と同様である。
【００３５】
（Ｄ）本発明の第２実施形態の動作の説明
つぎに、第２実施形態の動作について説明する。以下では、増幅装置１００Ａが現用系に設定され、増幅装置２００が予備系に設定された場合を例に挙げて説明する。
【００３６】
例えば、制御部１１０に接続される入力スイッチ（不図示）に対して増幅装置１００Ａを現用系に設定する操作がなされ、制御部２１０に接続される入力スイッチ（不図示）に対して増幅装置２００を予備系に設定する操作がなされたとする。このような場合には、制御部１１０は、スイッチ１０５をオンの状態にし、制御部２１０は、スイッチ２０５とスイッチ２１２を共にオフの状態にする。スイッチ２０５とスイッチ２１２が共にオフの状態に設定されると、増幅装置２００の出力端子２０７からは信号が出力されない状態となる。
【００３７】
増幅装置１００Ａでは、入力端子１０１から入力された高周波信号は、分岐部１０２を介して増幅部１０３に供給され、所定の利得で増幅された後、分岐部１０４を介してスイッチ１０５に供給される。なお、検出部１０８および検出部１０９は、分岐部１０２および分岐部１０４から供給される、増幅部１０３の入力信号および出力信号の状態をそれぞれ検出し、検出した状態を制御部１１０に通知する。増幅部１０３の入力信号および出力信号の状態が正常である場合には制御部１１０はスイッチ１０５のオンの状態を維持する。分岐部１０４から出力された高周波信号は、スイッチ１０５および出力端子１０７を介して出力される。
【００３８】
前述したように、増幅装置２００からは信号は出力されていないため、分圧部３０９からは直流電圧は出力されない。この場合、スイッチモジュール３１０Ａの電源端子（Ｖｃｃ）には直流電圧は供給されないため、スイッチ３１１は、図２の上側の端子を選択した状態となる。この結果、入力端子３０１を介して入力された高周波信号は、スイッチ３１１を介してコンデンサ３１２に供給される。スイッチ３１１から出力された高周波信号は、コンデンサ３１２およびコイル３１３によって構成されるハイパスフィルタを通過し、出力端子３１４から出力される。
【００３９】
以上のような状態において、検出部１０９によって高周波信号の異常が検出されたとすると、制御部１１０は、検出部１０８の出力を参照して高周波信号が正常である場合には、増幅部１０３が異常であると判定し、制御部２１０に現用系から予備系へ切替える旨を通知するとともに、スイッチ１０５をオフの状態にする。スイッチ１０５がオフの状態になると、出力端子１０７からは高周波信号が出力されない状態となる。
【００４０】
制御部２１０は、制御部１１０から現用系から予備系へ切替える旨の通知を受けると、スイッチ２０５とスイッチ２１２をオフの状態からオンの状態に変更する。この結果、増幅部２０３によって増幅され、分岐部２０４を通過した高周波信号は、スイッチ２０５およびコンデンサ２０６を介して出力端子２０７から出力される。また、直流電源２１３から出力された直流電圧は、コイル２１１を介して出力端子２０７から出力される。これにより、選択装置３００Ａの入力端子３０２には、高周波信号と直流電圧が重畳された信号が入力される。
【００４１】
コイル３０４は、入力端子３０２から入力された信号から直流電圧を通過させ、スイッチモジュール３１０の電源端子（Ｖｃｃ）に電源電圧として供給する。分圧部３０９は、コイル３０４から出力された直流電圧を分圧して、スイッチ３１１に供給する。スイッチ３１１は、分圧部３０９から直流電圧が供給されると、図２の下側の端子に接続した状態となる。
【００４２】
コンデンサ３０８は、入力端子３０２から入力された信号のうち、高周波信号を通過させてスイッチ３１１に供給する。スイッチ３１１は、前述したように、図１の下側の端子に接続された状態であるため、コンデンサ３０８を介して供給される高周波信号は、スイッチ３１１を介してコンデンサ３１２に供給される。コンデンサ３１２とコイル３１３は、ハイパスフィルタを構成していることから、コンデンサ３１２に供給された高周波信号は通過され、出力端子３１４を介して、後段の装置に供給される。
【００４３】
以上に説明したように、本発明の第２実施形態では、損失が殆どないスイッチ３１１によって切替えを行うことから、出力信号の歪みを悪化させることなく所望の利得を得ることが可能となる。また、スイッチモジュール３１０Ａは、電源電圧を供給しない場合には図２の上側の端子を選択するようにした。このため、増幅装置１００Ａが現用系として使用されている場合には電源電力の供給を受けずに動作することから、電力の消費を少なくすることができる。また、増幅装置１００Ａの増幅部１０３に異常が発生した場合には、増幅装置２００が高周波信号に対して直流電圧を重畳して出力し、選択装置３００Ａでは、スイッチ３１１を切替えることで、現用系から予備系へ切替えるようにしたので、簡易な構成によって、現用系と予備系を確実に切替えることができる。また、増幅装置２００から供給される直流電圧を、選択装置３００Ａにおいて電源電力として使用するようにしたので、選択装置３００Ａ側に電源部を設ける必要がなくなることから、装置の構成を簡略化することができる。
【００４４】
（Ｃ）変形実施形態の説明
以上の実施形態は一例であって、本発明が上述したような場合のみに限定されるものではない。例えば、図１に示す第１実施形態では、増幅装置１００から直流電圧が供給された場合に分圧部３０９を介してスイッチ３１１に供給し、スイッチ３１１が上側の端子を選択するようにしたが、例えば、分圧部３０９をダイオード３０６のアノード側に接続し、増幅装置２００から直流電圧が供給された場合に、分圧部３０９を介してスイッチ３１１に供給してスイッチ３１１が下側の端子を選択し、それ以外の場合には上側の端子を選択するようにしてもよい。
【００４５】
また、図２に示す第２実施形態では、予備系である増幅装置２００に直流電源２１３を設け、現用系から予備系に切替える際に予備系から直流電圧を供給してスイッチ３１１の接続を変更するようにしたが、現用系である増幅装置１００Ａに直流電源を設けるようにしてもよい。その場合、スイッチモジュール３１０Ａは電源電圧が供給されないときには、スイッチ３１１が下側の端子を選択するようにし、電源電圧が供給されるとともに、分圧部３０９から直流電圧が供給されるときにはスイッチ３１１が上側の端子を選択するようにすればよい。
【００４６】
また、以上の各実施形態では、スイッチ１０５，２０５によって高周波信号の出力を停止するようにしたが、例えば、増幅部１０３，２０３の動作を停止することで、高周波信号の出力を停止するようにしてもよい。
【００４７】
また、以上の各実施形態では、スイッチ３１１は、半導体スイッチによって構成されるようにしたが、例えば、電磁スイッチによって構成されるようにしてもよい。その場合、スイッチを駆動する電磁コイルに対して電源電圧を供給すると、いずれか一方の増幅装置を選択し、電源電圧の供給を停止すると他方の増幅装置を選択することができる。
【００４８】
また、コンデンサ１０６，２０６，３０７，３０８，３１２およびコイル１１１，２１１，３０３，３０４，３１３等については、必要に応じて適宜省略するようにしてもよい。
【００４９】
また、以上の各実施形態では、増幅装置１００，１００Ａおよび２００はそれぞれ制御部１１０，１１０，２１０を有する構成としたが、必要に応じて、冗長化増幅システム１０を構成する増幅装置のうち一方の増幅装置が制御部を有し、該制御部が他方の増幅装置も制御する構成としてもよい。このような構成とする事で、冗長化増幅システムの構成をより簡易にすることができる。
【００５０】
また、以上の実施形態では、検出部１０８，１０９，２０８，２０９にて高周波信号の信号レベルを検出する構成としたが、この他高周波信号の品質を検出するようにしてもよい。例えば、検出部１０８，１０９，２０８，２０９にて高周波信号の変調誤差比（ＭＥＲ：Modulation Error Ratio）、または、ビット誤り率（ＢＥＲ：Bit Error Rate）等を検出するようにしてもよいし、別途、検出部を設けてＭＥＲ,ＢＥＲ等を検出する様にしてもよい。このような構成とする事で、高周波信号の品質に応じて増幅装置を切替えることができる。
【００５１】
また、図３に示すような筐体に、増幅装置および選択装置を収容するようにしてもよい。図３に示す例では、筐体１２０には増幅装置１００（または増幅装置１００Ａ）が収容される。また、筐体２２０には増幅装置２００が収容される。さらに、筐体３２０には選択装置３００（または選択装置３００Ａ）と図示しない分配装置が収容される。筐体１２０は、例えば、直方体形状を有する金属部材１２１によって構成される。筐体２２０も同様に、例えば、直方体形状を有する金属部材２２１によって構成される。筐体１２０と筐体２２０は、所定の側面が平行に対向するように配置される。筐体１２０と筐体２２０の背面１２１ａと背面２２１ａには接続端子１２３と接続端子２２３がそれぞれ設けられている。また、接続端子１２３と接続端子２２３の下方（図３の下方）には、出力端子１０７と出力端子２０７および入力端子１０１と入力端子２０１が配置されている。
【００５２】
筐体３２０は、例えば、直方体形状を有する金属部材３２１によって構成される。筐体３２０の面３２１ａには入力端子３２２と出力端子３１４が配置されている。また、図３の下に示すように、筐体３２０の面３２１ｂ（面３２１ａに対向する面）には入力端子３０１，３０２および出力端子３２３，３２４が配置されている。筐体３２０は、出力端子３２３と入力端子１０１、出力端子３２４と入力端子２０１、入力端子３０１と出力端子１０７、入力端子３０２と出力端子２０７とがそれぞれ接続されるように筐体１２０，２２０に接合する。この結果、筐体３２０は、筐体１２０と筐体２２０の背面１２１ａおよび背面２２１ａを架橋した状態で配置される。
【００５３】
ここで、入力端子３２２に高周波信号が入力されると、入力端子３２２に入力された高周波信号は、筐体３２０内に収容されている図示しない分配装置によって分配され、出力端子３２３，３２４から出力される。出力端子３２３，３２４から出力された高周波信号は、入力端子１０１，２０１から筐体１２０，２２０にそれぞれ入力される。筐体１２０，２２０には図１または図２に示す増幅装置が収容されており、入力された高周波信号は、現用系に設定されている増幅装置によって増幅されて出力される。出力端子１０７，２０７から出力された信号は、筐体３２０に収容される選択装置３００によって選択され、出力端子３１４から出力される。なお、制御部１１０および制御部２１０は接続端子１２３，２２３に接続されるケーブルを介して情報を相互に授受することができる。また、接続端子１２３，２２３には電源電力が供給されるので、増幅装置１００，２００は、この電源電力によって動作する。さらに、選択装置３００は、現用系の増幅装置から供給される直流電圧を電源電圧として動作することから、筐体３２０には電源回路を配置する必要がない。
【００５４】
以上の図３に示す構成によれば、分配装置と選択装置を同じ筐体３２０内に収容し、筐体１２０，２２０の背面１２１ａおよび背面２２１ａの間に橋架するように配置可能としたので、装置の設置に必要なスペースを小さくすることができる。また、筐体３２０内に、電源回路を配置する必要がなくなることから、筐体３２０のサイズを縮小することができるとともに、ノイズの発生の多い電源回路を筐体３２０から除外することで、ノイズ特性を改善することができる。
【００５５】
なお、図３に示す例では、筐体１２０および筐体２２０の背面１２１ａおよび背面２２１ａの各長辺が垂直方向を向くように配置したが、図４に示すように各長辺が水平方向を向くように配置してもよい。なお、図４において、図３と対応する部分には同一の符号を付してその説明を省略する。図４では、図３と比較すると、筐体１２０および筐体２２０の配置方向が変更され、また、筐体３２０が筐体４２０に置換されている。
【００５６】
ここで、筐体１２０および筐体２２０は、図３と同様の構成を有し、入力端子１０１，２０１、出力端子１０７，２０７、接続端子１２３，２２３、および、内部の構成も図３と同様である。筐体４２０は、筐体１２０および筐体２２０の配置変更に応じた形状の金属部材４２１によって構成されている。すなわち、筐体４２０は、一列に配置された入力端子３０１、出力端子３２３、出力端子３２４、および、入力端子３０２を配置できるように図４の横方向に長い形状を有するとともに、図４の上下方向の幅が筐体１２０，２２０と略同じ幅となる形状を有している。
【００５７】
筐体４２０の面４２１ａには、入力端子３２２および出力端子３１４が設けられ、面４２１ａに対向する面４２１ｂには、入力端子３０１、出力端子３２３、出力端子３２４、および、入力端子３０２が設けられている。筐体４２０は、入力端子３０１と出力端子１０７、出力端子３２３と入力端子１０１、出力端子３２４と入力端子２０１、入力端子３０２と出力端子２０７とがそれぞれ接続されるように筐体１２０，２２０に接合する。この結果、筐体４２０は、筐体１２０と筐体２２０の背面１２１ａおよび背面２２１ａを架橋した状態で配置される。
【００５８】
ここで、入力端子３２２に高周波信号が入力されると、入力端子３２２に入力された高周波信号は、筐体３２０内に収容されている図示しない分配装置によって分配され、出力端子３２３，３２４から出力される。出力端子３２３，３２４から出力された高周波信号は、入力端子１０１，２０１から筐体１２０，２２０にそれぞれ入力される。筐体１２０，２２０には図１または図２に示す増幅装置が収容されており、入力された高周波信号は、現用系に設定されている増幅装置によって増幅されて出力される。出力端子１０７，２０７から出力された信号は、筐体４２０に収容される選択装置３００によって選択され、出力端子３１４から出力される。なお、制御部１１０および制御部２１０は接続端子１２３，２２３に接続されるケーブルを介して情報を相互に授受することができる。また、接続端子１２３，２２３には電源電力が供給されるので、増幅装置１００，２００は、この電源電力によって動作する。さらに、選択装置３００は、現用系の増幅装置から供給される直流電圧を電源電圧として動作することから、筐体４２０には電源回路を配置する必要がない。
【００５９】
以上の図４に示す構成によれば、分配装置と選択装置を同じ筐体４２０内に収容し、筐体１２０，２２０の背面１２１ａおよび背面２２１ａの間に橋架するように配置可能としたので、装置の設置に必要なスペースを小さくすることができる。また、筐体４２０内に、電源回路を配置する必要がなくなることから、筐体４２０のサイズを縮小することができるとともに、ノイズの発生の多い電源回路を筐体４２０から除外することで、ノイズ特性を改善することができる。
【符号の説明】
【００６０】
１０  冗長化増幅システム
１００，２００  増幅装置
１０１，２０１  入力端子
１０２，１０４，２０２，２０４  分岐部
１０３，２０３  増幅部
１０５，２０５  スイッチ
１０６，２０６  コンデンサ
１０７，２０７  出力端子
１０８，１０９，２０８，２０９  検出部
１１０，２１０  制御部（制御手段の一部）
１１１，２１１  コイル
１１２，２１２  スイッチ（制御手段の一部）
１１３，２１３  直流電源（供給手段）
１２０，２２０，３２０，４２０  筐体
３００  選択装置
３０１，３０２  入力端子
３０３，３０４  コイル
３０５，３０６  ダイオード
３０７，３０８  コンデンサ
３０９  分圧部
３１０，３１０Ａ  スイッチモジュール（出力手段）
３１１  スイッチ
３１２  コンデンサ
３１３  コイル
３１４  出力端子
【図１】
2016092703.tif 000003
【図２】
2016092703.tif 000004
【図３】
2016092703.tif 000005
【図４】
2016092703.tif 000006